(57)【要約】      （修正有）【課題】モバイル電子通信デバイスのための保護ケースを提供する。【解決手段】モバイル電子通信デバイスのための保護ケース１００であって、圧縮可能部材およびキャッチを含み、圧縮可能部材およびキャッチが、互いから離間されて凹所を形成している後部カバー１１０と、凹所の中へと延びるように構成されているリムを含み、リムが、圧縮可能部材に接触するように構成されている内側表面と、キャッチに係合するように構成されている内側表面の反対側の外側表面とを有する前部カバー１２０とを含む。リムの外側表面は、角のある窪みを有する。キャッチの形状は、キャッチと角のある窪みとの間の係合のために、リムの外側表面の角のある窪みに対応している。【選択図】図１
2017041885.tif 000002
【特許請求の範囲】
【請求項１】
モバイル電子通信デバイスのための保護ケースであって、前記保護ケースは、
圧縮可能部材およびキャッチを含む後部カバーであって、前記圧縮可能部材および前記キャッチは、互いから離間されて凹所を形成している、後部カバーと、
前記凹所の中へと延びるように構成されているリムを含む前部カバーであって、前記リムは、前記圧縮可能部材に接触するように構成されている内側表面と、前記キャッチに係合するように構成されている前記内側表面の反対側の外側表面とを有する、前部カバーと
を含む、保護ケース。
【請求項２】
前記リムの前記外側表面は、角のある窪みを有する、請求項１に記載の保護ケース。
【請求項３】
前記キャッチの形状は、前記キャッチと前記角のある窪みとの間の係合のために、前記リムの前記外側表面の前記角のある窪みに対応している、請求項２に記載の保護ケース。
【請求項４】
前記リムの前記内側表面は、平坦な表面を有する、請求項２に記載の保護ケース。
【請求項５】
前記圧縮可能部材は、拡大部分と、前記拡大部分から前記凹所の中へと延びている突出部分とを含む、請求項１に記載の保護ケース。
【請求項６】
前記リムの前記内側表面は、前記後部カバーが前記前部カバーに結合されている場合、前記圧縮可能部材の前記突出部分を圧縮するように構成されている、請求項５に記載の保護ケース。
【請求項７】
前記圧縮可能部材の前記拡大部分は、前記突出部分が前記リムの前記内側表面によって圧縮されたときに、厚さが増大するように構成されている、請求項６に記載の保護ケース。
【請求項８】
前記前部カバーが前記後部カバーに結合されている場合、前記圧縮可能部材の上方および／または下方に１つ以上の空の空間をさらに含み、前記空の空間は、前記圧縮可能部材の前記拡大部分の前記増大した厚さを収容するように構成されている、請求項７に記載の保護ケース。
【請求項９】
前記後部カバーは、傾斜表面を有し、
前記圧縮可能部材は、前記圧縮可能部材が前記凹所に向けられるように、前記傾斜表面上に配置される、請求項１に記載の保護ケース。
【請求項１０】
前記圧縮可能部材は、液体シリコーンゴムから作製されている、請求項１に記載の保護ケース。
【請求項１１】
モバイル電子通信デバイスのための保護ケースを製造するための方法であって、前記方法は、
圧縮可能部材およびキャッチを含む後部カバーを提供することであって、前記圧縮可能部材および前記キャッチは、互いから離間されて凹所を形成している、ことと、
前記凹所の中へと延びるように構成されているリムを含む前部カバーを構成することであって、前記リムは、前記圧縮可能部材に接触するように構成されている内側表面と、前記キャッチに係合するように構成されている前記内側表面の反対側の外側表面とを有する、ことと
を含む、方法。
【請求項１２】
前記リムの前記外側表面は、角のある窪みを有する、請求項１１に記載の方法。
【請求項１３】
前記キャッチの形状は、前記キャッチと前記角のある窪みとの間の係合のために、前記リムの前記外側表面の前記角のある窪みに対応している、請求項１２に記載の方法。
【請求項１４】
前記リムの前記内側表面は、平坦な表面を有する、請求項１２に記載の方法。
【請求項１５】
前記圧縮可能部材は、拡大部分と、前記拡大部分から前記凹所の中へと延びている突出部分とを含む、請求項１１に記載の方法。
【請求項１６】
前記リムの前記内側表面は、前記後部カバーが前記前部カバーに結合されている場合、前記圧縮可能部材の前記突出部分を圧縮するように構成されている、請求項１５に記載の方法。
【請求項１７】
前記圧縮可能部材の前記拡大部分は、前記突出部分が前記リムの前記内側表面によって圧縮されたときに、厚さが増大するように構成されている、請求項１６に記載の方法。
【請求項１８】
前記前部カバーが前記後部カバーに結合されている場合、前記圧縮可能部材の上方および／または下方に１つ以上の空の空間を提供することをさらに含み、前記空の空間は、前記圧縮可能部材の前記拡大部分の前記増大した厚さを収容するように構成されている、請求項１７に記載の方法。
【請求項１９】
前記後部カバーは、傾斜表面を有し、
前記圧縮可能部材は、前記圧縮可能部材が前記凹所に向けられるように、前記傾斜表面上に配置される、請求項１１に記載の方法。
【請求項２０】
前記圧縮可能部材は、液体シリコーンゴムから作製されている、請求項１１に記載の方法。
【請求項２１】
モバイル電子通信デバイスのための保護ケースであって、前記保護ケースは、
前記保護ケースの周囲に沿う外側周囲壁と、
前記外側周囲壁の内側表面に取り付けられたスイッチであって、前記スイッチは、窪みを形成する可撓層を含む、スイッチと
を含む、保護ケース。
【請求項２２】
前記窪み内のアクチュエータをさらに含む、請求項２１に記載の保護ケース。
【請求項２３】
前記スイッチは、前記外側周囲壁にオーバーモールド成形されている、請求項２１に記載の保護ケース。
【請求項２４】
前記スイッチは、前記外側周囲壁に取り付けられた少なくとも１つの湾曲部分をさらに含む、請求項２１に記載の保護ケース。
【請求項２５】
モバイル電子通信デバイスのための保護ケースであって、前記保護ケースは、
モバイルデバイスが前記保護ケース内に収納されているときに前記モバイルデバイスの１つ以上の対応する音声開口に隣接して配置される１つ以上のガスケット
を含み、
前記１つ以上のガスケットは、前記１つ以上の対応する音声開口を音響的に密封するように構成されている、保護ケース。
【請求項２６】
前記１つ以上のガスケットは、前記密封された音声開口に隣接する１つ以上の他の音声開口が密封されないように、前記音声開口のうちの１つ以上を密封するように構成されている、請求項２５に記載の保護ケース。
【請求項２７】
前記１つ以上のガスケットは、発泡体材料から作製されている、請求項２５に記載の保護ケース。
【請求項２８】
前記１つ以上のガスケットによって密封された前記１つ以上の音声開口は、前記モバイルデバイスのマイクである、請求項２５に記載の保護ケース。
【請求項２９】
外側壁をさらに含み、前記１つ以上のガスケットは、前記外側壁の内側表面に取り付けられている、請求項２５に記載の保護ケース。
【発明の詳細な説明】
【技術分野】
【０００１】
（関連特許出願の相互参照）
本願は、２０１５年８月１９日に出願された米国仮特許出願第６２／２０７，３６２号の利益を主張するものであり、該米国仮特許出願の開示は、その全体として、参照により本明細書中に明示的に援用される。また、本願は、２０１５年８月２７日に出願された米国仮特許出願第６２／２１０，９４４号の利益を主張するものであり、該米国仮特許出願の開示は、その全体として、参照により本明細書中に明示的に援用される。
【０００２】
（１．分野）
本開示は、概して、ケースに関し、特定の実施形態においては、モバイル通信デバイスのための保護ケースに関する。
【背景技術】
【０００３】
モバイル通信デバイス（例えば、スマートフォン、タブレット等）は、典型的には、繊細かつ／またはデリケートな電子機器またはその他の構成要素を含んでいる。これらのデバイスは、特にデバイスの携帯可能な性質を前提として、物理的酷使と、取り扱いからの損傷のリスクとを受け得る（例えば、デバイスを落下させること、またはそうでなければ、デバイスに物理的衝撃またはその他の外傷を受けさせること等）。さらに、モバイル電子通信デバイスは、繊細な電子機器を含んでいることから、液体によって引き起こされる損傷に対して特に敏感である（例えば、モバイルフォンは、水に晒された後には完全に動作不可能になり得る）。モバイル通信デバイスは、典型的には、特定のレベルの物理的衝撃または水への露出に耐え得るハウジングを含む。しかしながら、審美性を向上させようとして、ハウジングは、典型的には、見た目は魅力的であるがしばしば構造的完全性には妥協した仕上げを有するように設計されている。したがって、モバイル電子通信デバイスの一部または全体を封じ込める保護ケースは、モバイル電子通信デバイスの繊細な電子機器およびハウジングに対する追加的なレベルの保護を提供し得る。
【発明の概要】
【課題を解決するための手段】
【０００４】
（概要）
本開示の実施形態は、ユーザ入力インターフェースを有するモバイル電子通信デバイスのための保護ケースに関する。
【０００５】
種々の実施形態に従うと、モバイル電子通信デバイスのための保護ケースが提供され、保護ケースは、圧縮可能部材およびキャッチを含む後部カバーであって、圧縮可能部材およびキャッチは、互いから離間されて凹所を形成している、後部カバーと、凹所の中へと延びるように構成されているリムを含む前部カバーであって、リムは、圧縮可能部材に接触するように構成された内側表面と、キャッチに係合するように構成された内側表面の反対側の外側表面とを有する、前部カバーとを含む。
【０００６】
いくつかの実施形態において、リムの外側表面は、角のある窪みを有する。
【０００７】
いくつかの実施形態において、キャッチの形状は、キャッチと角のある窪みとの間の係合のために、リムの外側表面の角のある窪みに対応している。
【０００８】
いくつかの実施形態において、リムの内側表面は、平坦な表面を有する。
【０００９】
いくつかの実施形態において、圧縮可能部材は、拡大部分と、拡大部分から凹所の中へと延びている突出部分とを含む。
【００１０】
いくつかの実施形態において、リムの内側表面は、後部カバーが前部カバーに結合されている場合、圧縮可能部材の突出部分を圧縮するように構成されている。
【００１１】
いくつかの実施形態において、圧縮可能部材の拡大部分は、突出部分がリムの内側表面によって圧縮されたときに、厚さが増大するように構成されている。
【００１２】
いくつかの実施形態において、保護ケースは、前部カバーが後部カバーに結合されている場合、圧縮可能部材の上方および／または下方に１つ以上の空の（ｅｍｐｔｙ）空間をさらに含み、上記空の空間は、圧縮可能部材の拡大部分の増大した厚さを収容するように構成されている。
【００１３】
いくつかの実施形態において、後部カバーは、傾斜表面を有し、圧縮可能部材は、上記圧縮可能部材が凹所に向けられるように、傾斜表面上に配置される。
【００１４】
いくつかの実施形態において、圧縮可能部材は、液体シリコーンゴムから作製されている。
【００１５】
さらなる実施形態は、ユーザ入力インターフェースを有するモバイル電子通信デバイスのための保護ケースを製造するための方法に関する。
【００１６】
種々の実施形態に従うと、モバイル電子通信デバイスのための保護ケースを製造するための方法は、圧縮可能部材およびキャッチを含む後部カバーを提供することであって、圧縮可能部材およびキャッチは、互いから離間されて凹所を形成している、ことと、凹所へと延びるように構成されているリムを含む前部カバーを構成することであって、リムは、圧縮可能部材に接触するように構成された内側表面と、キャッチに係合するように構成された内側表面の反対側の外側表面とを有する、こととを含む。
【００１７】
いくつかの実施形態において、リムの外側表面は、角のある窪みを有する。
【００１８】
いくつかの実施形態において、キャッチの形状は、キャッチと角のある窪みとの間の係合のために、リムの外側表面の角のある窪みに対応している。
【００１９】
いくつかの実施形態において、リムの内側表面は、平坦な表面を有する。
【００２０】
いくつかの実施形態において、圧縮可能部材は、拡大部分と、拡大部分から凹所の中へと延びている突出部分とを含む。
【００２１】
いくつかの実施形態において、リムの内側表面は、後部カバーが前部カバーに結合されている場合、圧縮可能部材の突出部分を圧縮するように構成されている。
【００２２】
いくつかの実施形態において、圧縮可能部材の拡大部分は、突出部分がリムの内側表面によって圧縮されたときに、厚さが増大するように構成されている。
【００２３】
いくつかの実施形態において、方法は、前部カバーが後部カバーに結合されている場合、圧縮可能部材の上方および／または下方に１つ以上の空の空間を提供することをさらに含み、空の空間は、圧縮可能部材の拡大部分の増大した厚さを収容するように構成されている。
【００２４】
いくつかの実施形態において、後部カバーは、傾斜表面を有し、圧縮可能部材は、上記圧縮可能部材が凹所に向けられるように、傾斜表面上に配置される。
【００２５】
いくつかの実施形態において、圧縮可能部材は、液体シリコーンゴムから作製されている。
例えば、本発明は、以下を提供する。
（項目１）
モバイル電子通信デバイスのための保護ケースであって、上記保護ケースは、
圧縮可能部材およびキャッチを含む後部カバーであって、上記圧縮可能部材および上記キャッチは、互いから離間されて凹所を形成している、後部カバーと、
上記凹所の中へと延びるように構成されているリムを含む前部カバーであって、上記リムは、上記圧縮可能部材に接触するように構成されている内側表面と、上記キャッチに係合するように構成されている上記内側表面の反対側の外側表面とを有する、前部カバーと
を含む、保護ケース。
（項目２）
上記リムの上記外側表面は、角のある窪みを有する、上記項目に記載の保護ケース。
（項目３）
上記キャッチの形状は、上記キャッチと上記角のある窪みとの間の係合のために、上記リムの上記外側表面の上記角のある窪みに対応している、上記項目のいずれか一項に記載の保護ケース。
（項目４）
上記リムの上記内側表面は、平坦な表面を有する、上記項目のいずれか一項に記載の保護ケース。
（項目５）
上記圧縮可能部材は、拡大部分と、上記拡大部分から上記凹所の中へと延びている突出部分とを含む、上記項目のいずれか一項に記載の保護ケース。
（項目６）
上記リムの上記内側表面は、上記後部カバーが上記前部カバーに結合されている場合、上記圧縮可能部材の上記突出部分を圧縮するように構成されている、上記項目のいずれか一項に記載の保護ケース。
（項目７）
上記圧縮可能部材の上記拡大部分は、上記突出部分が上記リムの上記内側表面によって圧縮されたときに、厚さが増大するように構成されている、上記項目のいずれか一項に記載の保護ケース。
（項目８）
上記前部カバーが上記後部カバーに結合されている場合、上記圧縮可能部材の上方および／または下方に１つ以上の空の空間をさらに含み、上記空の空間は、上記圧縮可能部材の上記拡大部分の上記増大した厚さを収容するように構成されている、上記項目のいずれか一項いずれか一項に記載の保護ケース。
（項目９）
上記後部カバーは、傾斜表面を有し、
上記圧縮可能部材は、上記圧縮可能部材が上記凹所に向けられるように、上記傾斜表面上に配置される、上記項目のいずれか一項に記載の保護ケース。
（項目１０）
上記圧縮可能部材は、液体シリコーンゴムから作製されている、上記項目のいずれか一項に記載の保護ケース。
（項目１１）
モバイル電子通信デバイスのための保護ケースを製造するための方法であって、上記方法は、
圧縮可能部材およびキャッチを含む後部カバーを提供することであって、上記圧縮可能部材および上記キャッチは、互いから離間されて凹所を形成している、ことと、
上記凹所の中へと延びるように構成されているリムを含む前部カバーを構成することであって、上記リムは、上記圧縮可能部材に接触するように構成されている内側表面と、上記キャッチに係合するように構成されている上記内側表面の反対側の外側表面とを有する、ことと
を含む、方法。
（項目１２）
上記リムの上記外側表面は、角のある窪みを有する、上記項目に記載の方法。
（項目１３）
上記キャッチの形状は、上記キャッチと上記角のある窪みとの間の係合のために、上記リムの上記外側表面の上記角のある窪みに対応している、上記項目のいずれか一項に記載の方法。
（項目１４）
上記リムの上記内側表面は、平坦な表面を有する、上記項目のいずれか一項に記載の方法。
（項目１５）
上記圧縮可能部材は、拡大部分と、上記拡大部分から上記凹所の中へと延びている突出部分とを含む、上記項目のいずれか一項に記載の方法。
（項目１６）
上記リムの上記内側表面は、上記後部カバーが上記前部カバーに結合されている場合、上記圧縮可能部材の上記突出部分を圧縮するように構成されている、上記項目のいずれか一項に記載の方法。
（項目１７）
上記圧縮可能部材の上記拡大部分は、上記突出部分が上記リムの上記内側表面によって圧縮されたときに、厚さが増大するように構成されている、上記項目のいずれか一項に記載の方法。
（項目１８）
上記前部カバーが上記後部カバーに結合されている場合、上記圧縮可能部材の上方および／または下方に１つ以上の空の空間を提供することをさらに含み、上記空の空間は、上記圧縮可能部材の上記拡大部分の上記増大した厚さを収容するように構成されている、上記項目のいずれか一項に記載の方法。
（項目１９）
上記後部カバーは、傾斜表面を有し、
上記圧縮可能部材は、上記圧縮可能部材が上記凹所に向けられるように、上記傾斜表面上に配置される、上記項目のいずれか一項に記載の方法。
（項目２０）
上記圧縮可能部材は、液体シリコーンゴムから作製されている、上記項目のいずれか一項に記載の方法。
（項目２１）
モバイル電子通信デバイスのための保護ケースであって、上記保護ケースは、
上記保護ケースの周囲に沿う外側周囲壁と、
上記外側周囲壁の内側表面に取り付けられたスイッチであって、上記スイッチは、窪みを形成する可撓層を含む、スイッチと
を含む、保護ケース。
（項目２２）
上記窪み内のアクチュエータをさらに含む、上記項目に記載の保護ケース。
（項目２３）
上記スイッチは、上記外側周囲壁にオーバーモールド成形されている、上記項目のいずれか一項に記載の保護ケース。
（項目２４）
上記スイッチは、上記外側周囲壁に取り付けられた少なくとも１つの湾曲部分をさらに含む、上記項目のいずれか一項に記載の保護ケース。
（項目２５）
モバイル電子通信デバイスのための保護ケースであって、上記保護ケースは、
モバイルデバイスが上記保護ケース内に収納されているときに上記モバイルデバイスの１つ以上の対応する音声開口に隣接して配置される１つ以上のガスケット
を含み、
上記１つ以上のガスケットは、上記１つ以上の対応する音声開口を音響的に密封するように構成されている、保護ケース。
（項目２６）
上記１つ以上のガスケットは、上記密封された音声開口に隣接する１つ以上の他の音声開口が密封されないように、上記音声開口のうちの１つ以上を密封するように構成されている、上記項目に記載の保護ケース。
（項目２７）
上記１つ以上のガスケットは、発泡体材料から作製されている、上記項目のいずれか一項に記載の保護ケース。
（項目２８）
上記１つ以上のガスケットによって密封された上記１つ以上の音声開口は、上記モバイルデバイスのマイクである、上記項目のいずれか一項に記載の保護ケース。
（項目２９）
外側壁をさらに含み、上記１つ以上のガスケットは、上記外側壁の内側表面に取り付けられている、上記項目のいずれか一項に記載の保護ケース。
（摘要）
モバイル電子通信デバイスのための保護ケースは、圧縮可能部材およびキャッチを含む後部カバーであって、上記圧縮可能部材および上記キャッチは、互いから離間されて凹所を形成している、後部カバーと、凹所の中へと延びるように構成されているリムを含む前部カバーであって、上記リムは、圧縮可能部材に圧縮するように構成されている内側表面と、キャッチに係合するように構成されている内側表面の反対側の外側表面とを有する、前部カバーとを含む。
【図面の簡単な説明】
【００２６】
【図１】図１は、種々の実施形態に従う保護ケースの斜視図である。
【図２Ａ】図２Ａは、種々の実施形態に従う保護ケースの側面図である。
【図２Ｂ】図２Ｂは、種々の実施形態に従う保護ケースの別の側面図である。
【図２Ｃ】図２Ｃは、種々の実施形態に従う保護ケースの上面図である。
【図２Ｄ】図２Ｄは、種々の実施形態に従う保護ケースの底面図である。
【図３Ａ】図３Ａは、種々の実施形態に従う保護ケースの前部カバーの図である。
【図３Ｂ】図３Ｂは、種々の実施形態に従う保護ケースの後部カバーの図である。
【図４】図４は、種々の実施形態に従う保護ケースの分解図である。
【図５Ａ】図５Ａは、種々の実施形態に従う保護ケースの一部分の斜視図である。
【図５Ｂ】図５Ｂは、種々の実施形態に従う保護ケースの一部分の図である。
【図６Ａ】図６Ａは、種々の実施形態に従う別の保護ケースの前部カバーの図である。
【図６Ｂ】図６Ｂは、種々の実施形態に従う保護ケースの一部分の断面図である。
【図７Ａ】図７Ａは、種々の実施形態に従う保護ケースの前部カバーの図である。
【図７Ｂ】図７Ｂは、種々の実施形態に従う保護ケースの一部分の断面図である。
【図８】図８は、種々の実施形態に従う保護ケースの一部分の断面図である。
【図９Ａ】図９Ａは、種々の実施形態に従う保護ケースの一部分の斜視図である。
【図９Ｂ】図９Ｂは、種々の実施形態に従う保護ケースの一部分の断面図である。
【図９Ｃ】図９Ｃは、種々の実施形態に従う保護ケースの一部分の断面図である。
【図１０Ａ】図１０Ａは、種々の実施形態に従う保護ケースの一部分の斜視断面図である。
【図１０Ｂ】図１０Ｂは、種々の実施形態に従う保護ケースの一部分の側方断面図である。
【図１０Ｃ】図１０Ｃは、モバイル電子通信デバイスを収納する保護ケースの横部分の断面図である。
【発明を実施するための形態】
【００２７】
（詳細な説明）
図１は、種々の実施形態に従うモバイル電子通信デバイスのための保護ケース１００を図示している。図２Ａは、種々の実施形態に従う保護ケース１００の側面図である。図２Ｂは、種々の実施形態に従う保護ケース１００の別の側面図である。図２Ｃは、種々の実施形態に従う保護ケース１００の上面図である。図２Ｄは、種々の実施形態に従う保護ケース１００の底面図である。図３Ａは、種々の実施形態に従う保護ケース１００の後部カバー１１０の図である。図３Ｂは、種々の実施形態に従う保護ケース１００の前部カバー１２０の図である。図４は、種々の実施形態に従う保護ケース１００の分解図である。図５Ａは、種々の実施形態に従う保護ケース１００の一部分の斜視図である。図５Ｂは、種々の実施形態に従う保護ケース１００の一部分の図である。
【００２８】
図１〜５Ｂを参照すると、種々の実施形態に従うと、保護ケース１００は、後部カバー１１０および前部カバー１２０を含んでおり、これらは、結合されている場合、保護ケース１００内に容積を形成する。保護ケース１００の容積は、モバイル電子通信デバイス（図示されず）を保持するように構成され得、該モバイル電子通信デバイスとしては、限定されるものではないが、例えば、スマートフォン（例えば、ｉＰｈｏｎｅ（登録商標））またはその他の携帯電話、タブレット（例えば、ｉＰａｄ（登録商標））、個人情報端末（ＰＤＡ）、ラップトップ、ＭＰ３プレイヤー、音楽プレイヤー、ビデオプレイヤー、メディアプレイヤー、ナビゲーションデバイス、テレマティックスデバイス、または任意のその他の携帯可能電子デバイスが挙げられる。モバイル電子通信デバイスは、ディスプレイデバイス（例えば、ＬＣＤスクリーン等）、入力を提供するかまたはそうでなければモバイル電子通信デバイスと相互作用するためのユーザ入力デバイス（例えば、キーボード、タッチスクリーンインターフェース等）および／または同様のものを含み得る。特定の実施形態において、モバイル電子通信デバイスは、ディスプレイデバイスおよびユーザ入力インターフェースに対するタッチスクリーンを含む。
【００２９】
種々の実施形態において、後部カバー１１０および／または前部カバー１２０は、任意の適切な材料から作製され得る。特定の実施形態において、後部カバー１１０および／または前部カバー１２０は、後部カバー１１０および前部カバー１２０がケース内に入っているデバイスのまわりで結合されている場合、ケース内に入っているモバイル電子通信デバイスに対する耐衝撃性および耐液性のうちの１つ以上を提供することが可能な材料から作製され得る。いくつかの実施形態において、後部カバー１１０および前部カバー１２０は、複数の異なる構成要素から成っており、それ故、複数の異なる材料から製造され得る。後部カバー１１０および／または前部カバー１２０が作製され得る適切な材料は、限定されるものではないが、モバイル電子通信デバイスに対し対応する所望の量の保護（例えば、耐衝撃性および／または耐液性）を提供するように適合された、硬質材料、半硬質材料、可撓材料、または、任意のその他のタイプの材料を含み、このようなタイプの材料は、限定されるものではないが、プラスチック、金属、ポリカーボネート、ナイロン、液晶ポリマー、ゴム、熱可塑性ウレタン、ポリエチレン、ポリプロピレン、それらの組み合わせ、それらの混合物、および／または同様のものを含む。
【００３０】
種々の実施形態において、保護ケース１００は、モバイル電子通信デバイスを完全に封じ込める。例えば、後部カバー１１０および前部カバー１２０は、一緒に結合されている場合、モバイル電子通信デバイスを完全に封じ込め得る。その他の実施形態において、保護ケース１００は、モバイル電子通信デバイスの一部分をカバーする。そのような実施形態において、モバイル電子通信デバイスの残りの部分は、露出されたままとなり得る。
【００３１】
種々の実施形態に従うと、前部カバー１２０は、外側本体１２１を含んでいる。外側本体１２１は、モバイルデバイスが保護ケース１００内に入っているときに外側本体１２１がモバイルデバイスのエッジを包囲するように、保護ケース１００の周囲を形成し得る。外側本体１２１は、保護ケース１００の外側に向かって面している外側周囲壁１２１ａと、外側周囲壁１２１ａが面している方向とは反対方向に面している（例えば、デバイスが保護ケース１００内に入っているときにモバイル電子通信デバイスに向かって面している）内側周囲壁１２１ｂとを含み得る。内側周囲壁１２１ｂは、モバイル電子通信デバイスが存在し得る空洞１２２を画定し得る。そのような実施形態において、外側本体１２１の外側周囲壁１２１ａおよび内側周囲壁１２１ｂは、前部カバー１２０の周囲壁１２０ａを形成する。いくつかの実施形態において、外側周囲壁１２１ａおよび内側周囲壁１２１ｂは、同じ材料から作製される。その他の実施形態において、外側周囲壁１２１ａおよび内側周囲壁１２１ｂは、異なる材料から作製される。外側周囲壁１２１ａおよび内側周囲壁１２１ｂは、ケース内に入っているモバイル電子通信デバイスに保護を提供するための任意の適切な材料から作製され得、そのような材料としては、限定されるものではないが、例えば、エラストマー材料、プラスチック、金属、ポリカーボネート、ナイロン、液晶ポリマー、ゴム、熱可塑性ウレタン、ポリエチレン、ポリプロピレン、それらの組み合わせ、それらの混合物、および／または同様のものが挙げられる。
【００３２】
種々の実施形態において、前部カバー１２０の外側本体１２１は、外側周囲壁１２１ｂと内側周囲壁１２１ａとの間に配置されたライナー１３０をさらに含む。ライナー１３０は、周囲壁１２０ａの周囲に沿って延び得る。いくつかの実施形態において、外側周囲壁１２１ａおよび内側周囲壁１２１ｂは、１つ以上のチャネル１２１ｃによって互いに結合され得る。１つ以上のチャネル１２１ｃの各々は、ライナー１３０を通るように配置されることにより外側周囲壁１２１ａと内側周囲壁１２１ｂとの間に接続を形成し得、そうでなければこれらは、ライナー１３０によって互いから隔絶させられている。いくつかの実施形態において、１つ以上のチャネル１２１ｃの各々は、ライナー１３０の周囲の全体にわたって、ライナー１３０の全体にわたる個別の位置において、周期的に配置されている。特定の実施形態において、１つ以上のチャネル１２１ｃは、ライナー１３０の周囲の全体にわたって、規則的なパターンまたは不規則的なパターンで配置される。その他の実施形態において、外側周囲壁１２１ａおよび内側周囲壁１２１ｂが外側本体１２１の周囲に沿ってライナー１３０を通して連続的に結合されるように、１つ以上のチャネル１２１ｃが個別の位置に配置されているのとは対照的に、１つ以上のチャネル１２１ｃは、ライナー１３０の周囲に沿って延びている連続チャネルを含む。ライナー１３０は、任意の適切な頑丈な材料から作製され得、そのような頑丈な材料としては、限定されるものではないが、例えば、プラスチック、金属、ポリカーボネート、ナイロン、液晶ポリマー、ゴム、熱可塑性ウレタン、ポリエチレン、ポリプロピレン、それらの組み合わせ、それらの混合物、および／または同様のものが挙げられる。特定の実施形態において、ライナー１３０および周囲壁１２０ａは、一緒に（例えば、オーバーモールド成形プロセスを用いて）形成され得る。その他の実施形態において、周囲壁１２０ａおよびライナー１３０は、別々に作成され、一緒に接合される。
【００３３】
さらなる実施形態において、ライナー１３０は、外側本体１２１の上部周囲（例えば、前部カバー１２０および後部カバー１１０が結合されている場合後部カバー１１０の反対側の位置）を通って上向きに延び、外側本体１２１の上部周囲のまわりにライナー１３０の環状棚１３０ａを形成する。  棚１３０ａは、外側本体１２１の上部周囲に沿って実質的に平坦であり得、内側周囲壁１２１ｂの上で空洞１２２に向かって内向きに延び得る。いくつかの実施形態において、棚１３０ａは、ライナー１３０の延長部として形成され、したがって、ライナー１３０の材料と同じ材料から作製され得る。その他の実施形態において、棚１３０ａは、ライナー１３０とは別々に形成され、ライナー１３０に取り付けられる。そのような実施形態において、棚１３０ａは、ライナー１３０と同じまたは異なる任意の適切な材料から形成され得、そのような材料としては、限定されるものではないが、例えば、プラスチック、金属、ポリカーボネート、ナイロン、液晶ポリマー、ゴム、熱可塑性ウレタン、ポリエチレン、ポリプロピレン、それらの組み合わせ、それらの混合物、および／または同様のものが挙げられる。
【００３４】
さらなる実施形態において、ライナー１３０はまた、外側本体１２１の底部周囲（例えば、環状棚１３０ａの反対側に配置された周囲）を通って下向きに延び、外側本体１２１の底部周囲に沿ってライナー１３０の環状リム１３０ｂを形成する。特定の実施形態において、リム１３０ｂは、外側本体１２１の周囲壁１２０ａを超えて延びる。リム１３０ｂは、後部カバー１１０との係合のための外側表面１３１と、後部カバー１１０上に配置されたシールとの係合のための外側表面１３１とは反対側の内側表面１３２とを含み得る。いくつかの実施形態において、外側表面１３１は、後部カバー１１０との係合のための角のある窪み１３１ａを含む。さらに、内側表面１３２は、実質的に平坦または平らな表面であり得る。いくつかの実施形態において、リム１３０ｂは、ライナー１３０の延長部として形成され、したがって、ライナー１３０の材料と同じ材料から作製される。その他の実施形態において、リム１３０ｂは、別々に形成され、ライナー１３０に取り付けられる。そのような実施形態において、リム１３０ｂは、ライナー１３０と同じまたは異なる任意の適切な材料から形成され得、そのような材料としては、限定されるものではないが、例えば、プラスチック、金属、ポリカーボネート、ナイロン、液晶ポリマー、ゴム、熱可塑性ウレタン、ポリエチレン、ポリプロピレン、それらの組み合わせ、それらの混合物、および／または同様のものが挙げられる。
【００３５】
モバイル電子通信デバイスは、任意の適切な態様で保護ケース１００に搭載され得るか、そうでなければ配置され得る。いくつかの実施形態において、モバイル電子通信デバイスは、前部カバー１２０内に受け取られ得る。例えば、周囲壁１２０ａは、モバイル電子通信デバイス（の少なくとも一部分）を受け取るための空洞１２２を画定する。その他の実施形態において、モバイル電子通信デバイスは、例えば、締結具、接着剤、および／または同様のものを用いて、モバイル電子通信デバイスを保護ケース１００に取り付けることによって、保護ケース１００に搭載される。
【００３６】
種々の実施形態において、後部カバー１１０および前部カバー１２０は、モバイル電子通信デバイスを保護ケース１００内に封じ込めるために、任意の適切な態様で結合または嵌合するように構成されている。特定の実施形態において、後部カバー１１０の少なくとも一部分は、前部カバー１２０の一部分（例えば、空洞１２２）の中に受け取られる。
【００３７】
いくつかの実施形態において、後部カバー１１０および前部カバー１２０は、一緒に結合されて防水シールを形成する（すなわち、これにより、保護ケースの１つの側（例えば、保護ケース１００の外側）から保護ケース１００の他の側（例えば、保護ケース１００の内側）までの液体の通過を実質的に防止する）ように構成されている。いくつかの実施形態において、環状の圧縮可能部材１５０が、後部カバー１１０上に提供され、後部カバー１１０および前部カバー１２０が互いに結合されるときに、後部カバー１１０と前部カバー１２０との間に密封を提供する。環状の圧縮可能部材１５０は、後部カバー１１０のエッジ１１２から内側の位置において、後部カバー１１０の周囲（例えば、周囲の全体または周囲の一部分）に沿って延び得る。特定の実施形態において、圧縮可能部材１５０は、空洞１２２に面している後部カバー１１０の前部表面１１０ａに取り付けられる。例えば、圧縮可能部材１５０は、限定されるものではないが、例えば、後部カバー１１０に対して圧縮可能部材１５０をオーバーモールド成形すること、接着剤材料、１つ以上の締結具、それらの組み合わせ、および／または同様のものにより、前部表面１１０ａまたは後部カバー１１０に取り付けられ得る。種々の実施形態において、圧縮可能部材１５０は、モバイル電子通信デバイスの外側周囲またはそのような外側周囲の１つ以上の部分の形状および寸法に対応するように成形および寸法決めされる。いくつかの実施形態において、圧縮可能部材１５０は、後部カバー１１０が前部カバー１２０に結合されている場合、後部カバー１１０と前部カバー１２０との間に密封を提供するための、ガスケット（例えば、Ｏリング）または同様のものであり得る。特定の実施形態において、圧縮可能部材１５０は、曲げやすい材料から作製されており、そのような曲げやすい材料としては、限定されるものではないが、例えば、液体シリコーンゴム（ＬＳＲ）、微孔性ウレタン（例えば、ＰＯＲＯＮ（登録商標））、および／または同様のものが挙げられる。
【００３８】
いくつかの実施形態において、圧縮可能部材１５０は、拡大部分１５０ａと、拡大部分１５０ａから外側へと（例えば、後部カバー１１０のエッジ１１２に向かって）延びている突出部分１５０ｂとを含み得る。いくつかの実施形態において、突出部分１５０ｂは、凹所１１３の中へと延びている。いくつかの実施形態において、後部カバー１１０は、後部カバー１１０のエッジ１１２から内側に配置された後部カバー１１０の周囲のまわりに傾斜表面１１４を含み得る。傾斜表面１１４の位置は、圧縮可能部材１５０の拡大部分１５０ａに実質的に対応し得る。いくつかの実施形態において、拡大部分１５０ａは、圧縮可能部材１５０を維持し安定化させるために、傾斜表面１１４から上向きに延びている柱を収容するための溝を有し得る（例えば、図６Ｂを参照）。さらなる実施形態において、傾斜表面１１４は、後部カバー１１０に沿って所定の長さにわたり所定の角度で延びている。エッジ１１２において、後部カバー１１０は、  傾斜表面１１４から延びており圧縮可能部材１５０の突出部分１５０ｂに実質的に対応している突出表面１１２ａを含み得る。いくつかの実施形態において、突出表面１１２ａは、下向き方向に（例えば、ケース内に入っているモバイル電子通信デバイスの反対側の方向に）延びており、保護ケース１００は、平らに横たわっているときに、直立して、突出表面１１２ａにおいて、保護ケース１００が横たわっている表面に接触し得る。さらに、保護ケース１００は、環状突出表面１１２ａを介して上向きに直立し得るので、突出表面１１２ａとは反対側に、保護ケース１００の下に（例えば、傾斜表面１１４から延びている平坦な表面１１６の実質的に下に）空の空間の体積が存在し得る。この空の空間の体積は、ケース内に入っているモバイル電子通信デバイスから発せされる音声および音響の品質を向上させることを可能にする。
【００３９】
さらに、いくつかの実施形態において、圧縮可能部材１５０は、後部カバー１１０の傾斜表面１１４上に実質的に配置されるので、これは、リム１３０ｂの内側表面１３２に対して圧縮可能部材１５０によって加えられた圧力が、下向きに、かつリム１３０ｂに向かって、向けられるかまたは集中させられ、より強力な密封をもたらすことを可能にする。さらに、いくつかの実施形態において、圧縮可能部材１５０は、後部カバー１２０の周囲のまわりで、後部カバー１１０の前部表面１１０ａの上方で前部カバー１２０に向かって上向きに突出しているリングの形を取る。したがって、いくつかの実施形態において、モバイル電子通信デバイスは、後部カバー１１０の上に置かれているときに、後部カバー１１０の前部表面１１０ａの上方に吊り下げられ得、その結果、デバイスが保護ケースの内側にあるときに、デバイスの下に空の空間の間隙が存在し得る。モバイル電子通信デバイスと後部カバー１１０の前部表面１１０ａとの間に空間または間隙を収容することにより、保護ケース１００は、ケース内に入っているモバイル電子通信デバイスから発せされる向上させられた音声品質および音響を可能にする。
【００４０】
さらなる実施形態において、圧縮可能部材１５０の突出部分１５０ｂは、後部カバー１１０および前部カバー１２０が互いに結合されたとき、前部カバー１２０のリム１３０ｂの内側表面１３２に接触し（例えば、係合または当接し）、圧縮可能部材１５０と前部カバー１２０のリム１３０ｂの内側表面１３２との間に密封を形成する。このような実施形態において、後部カバー１１０および前部カバー１２０が互いに結合されない（例えば、これらが分離されている）とき、後部カバー１１０は、リム１３０ｂを収容するために、圧縮可能部材１５０とエッジ１２０との間に凹所１１３を含み得る。凹所１１３は、リム１３０ｂが（外側表面１３１においてリム１３０ｂの１つの側で）後部カバー１１０と掛け留めされること、および（内側表面１３２においてリム１３０ｂの反対側で）密封のために圧縮可能部材１５０を圧縮することの両方を可能にする。そのような実施形態において、圧縮可能部材１５０は、リム１３０ｂの内側表面１３２から離れて（例えば、傾斜表面１１４の上方へ）拡大部分１５０ａに向かって圧縮し、その結果、突出部分１５０ｂは、リム１３０ｂの内側表面１３２に対してじかに接触した（例えば、圧縮された）状態になる。したがって、傾斜表面１１４の上方へ圧縮された圧縮可能部材１５０の余分な材料は、圧縮可能部材１５０の拡大部分１５０ａに移動し、拡大部分１５０ａの厚さを増大させ得る。そのような実施形態において、後部カバー１１０および前部カバー１２０が互いに結合されるときに、圧縮可能部材１５０の上方および／または下方に少なくとも１つの空の空間１１７が提供され得、その結果、圧縮部材１５０が圧縮された状態にあるときに圧縮可能部材１５０の移動させられた材料は、保護ケース１００内に収容され得る。圧縮可能部材１５０を圧縮された状態にするように圧縮可能部材１５０に対して力を加えることにより、密封の強度は増大させられて、圧縮可能部材１５０と前部カバー１２０との間の流体、塵、または同様のものの通過をさらに阻止し得る。種々の実施形態に従うと、前部カバー１１０および後部カバー１２０が一緒に結合されている場合、モバイル電子通信デバイスを保持するための封じ込め容積が形成される。いくつかの実施形態において、圧縮可能部材１５０は、液体シリコーンゴムから作製され得、そのような液体シリコーンゴムは、保護ケース１００の密封を維持するための向上させられた記憶特性を提供し得る。
【００４１】
さらなる実施形態において、リム１３０ｂの内側表面１３２は、保護ケース１００を密封するために、圧縮可能部材１５０と相互作用または係合するように構成されるが、リム１３０ｂの外側表面１３１は、前記カバー１２０を後部カバー１１０と一緒に締結するかまたは掛け留めするように、後部カバー１１０と相互作用または係合するように構成され得る。いくつかの実施形態において、後部カバー１１０のエッジ１１２は、キャッチ１１２ｂを含む。キャッチ１１２ｂは、リム１３０ａの外側表面１３１において角のある窪み１３１ａの形状に対応し得、その結果、角のある窪み１３１ａおよびキャッチ１１２ｂは、互いに噛み合って、後部カバー１１０と前部カバー１２０とを強固に結合し得る。種々の実施形態において、前部カバー１２０が、後部カバー１１０に結合されない場合、前部カバー１２０が後部カバー１１０に結合された場合にリム１３０ｂを収容するための凹所１１３が圧縮可能部材１５０とキャッチ１１２ｂとの間に存在し得る。換言すると、圧縮可能部材１５０およびキャッチ１１２ｂは、リム１３０ｂを収容するように構成された凹所１１３を形成するために、互いに離間され得る、後部カバー１１０および前部カバー１２０に対するこのような結合構成は、例示であり、その他の実施形態は、その他の適切な結合構成、例えば、限定されるものではないが、角のある窪み１３１ａおよびキャッチ１１２ｂの異なる対応する角度および／または形状（例えば、雄型プラグおよび雌型プラグ）、その他の結合機構（例えば、摩擦嵌め、スナップ嵌め、掛け留め機構、クランプ留め／締結部材、および／または同様のもの）等を実施し得るということが留意されるべきである。さらなる実施形態において、後部カバー１１０と前部カバー１２０との間の結合位置は、周囲の全体にわたる連続システムの代わりに、保護ケース１００の周囲に沿って離散的および周期的であり得る。
【００４２】
なおもさらなる実施形態において、リム１３０ｂの内側表面１３２および外側表面１３１は、それらが異なる機能を提供することから、互いに異なるように設計され得る（例えば、内側表面１３１は、圧縮可能部材１５０に対して密封するように構成されており、外側表面は、前部カバー１２０および後部カバー１１０を一緒にラッチ留めするために後部カバー１１０に掛け留めおよび係合するように構成されている）。したがって、いくつかの実施形態において、内側表面１３２は、圧縮可能部材を研磨することのないように、平滑および平らな（例えば、平坦な）形状を有し得、外側表面１３１は、後部カバー１１０のキャッチ１１２ｂに適切にラッチ留めしてそれを維持するために、より起伏のある形状（例えば、ギザギザの形状または角のある形状）を有し得る。
【００４３】
いくつかの実施形態に従うと、前部カバー１２０は、メンブレン１４０を含み、そのようなメンブレンは、モバイル電子通信デバイスの少なくとも一部分の上に提供されたメンブレン１４０を通して、モバイル電子通信デバイスの前部表面（例えば、モバイル電子通信デバイスのユーザインターフェース（例えば、タッチスクリーンインターフェース）、モバイル電子通信デバイスの１以上の操作部、および／または同様のもの）にアクセスすることを可能にする。いくつかの実施形態において、メンブレン１４０は、モバイル電子通信デバイスの少なくとも１つのその他の部分（例えば、限定されるものではないが、前部対面カメラ、マイク、スピーカ、近接センサ等）にアクセスすることを可能にするために、少なくとも１つの開口１１８を含む（または、そうでなければアクセスを提供する）。
【００４４】
特定の実施形態において、後部カバー１１０および前部カバー１２０は、一緒に結合されている場合、メンブレン１４０とともに、モバイル電子通信デバイスを完全に封じ込める。メンブレン１４０は、薄いプラスチックまたはその他の適切な材料のシートであり得、このようなシートは、例えば、ケース内に入っているモバイル電子通信デバイス（例えば、ケース内に入っているモバイル電子通信デバイスのタッチスクリーンディスプレイ）との相互作用を可能にする。メンブレン１４０は、モバイル電子通信デバイスのタッチスクリーンディスプレイ上に表示された画像がメンブレン１４０を通して可視となることを可能にするように、透明（または少なくとも部分的に透明）であり得る。メンブレン１４０の構成（例えば、サイズ、厚さ、レイアウト、組成等）は、ケース内に入っているモバイル電子通信デバイスの特定の製造業者またはモデルに基づき得る。
【００４５】
種々の実施形態に従うと、メンブレン１４０は、例えば、限定されるものではないが、接着剤、表面張力、摩擦、静電気によるまとわりつき、粘着性のある流体、１つ以上の締結具、それらの組み合わせ、および／または同様のものによって、保護ケース１００（例えば、前部カバー１１０、後部カバー１２０等）またはモバイル電子通信デバイスのうちの１つ以上に固定される。いくつかの実施形態において、メンブレン１４０は、環状棚１３０ａに取り付けられる。そのような実施形態において、メンブレン１４０は、メンブレン１４０と環状棚１３０ａとの間に配置された環状締結具１４２を介して棚１３０ａに取り付けられ得る。種々の実施形態において、環状締結具１４２は、メンブレン１４０を環状エッジ１３０ａに固定するための任意の適切な材料であり得、そのような材料としては、例えば、限定されるものではないが、両面テープ、パッド印刷接着剤、および／または同様のものが挙げられる。メンブレン１４０を外側本体１２１の上部上に（例えば、空洞１２２内の外側本体１２１の底部から反対側に）取り付けることにより、メンブレン１４０は、保護ケース１００の製造プロセスの間に、（例えば、環状締結具１４２においてメンブレンの周囲の全体にわたり均一な圧力を適用するように構成されたローラマシンにより）より均一かつ容易に環状締結具１４２に取り付けられ得る。その他の実施形態において、メンブレン１４０は、保護ケース１００またはモバイル電子通信デバイスに固定されない。すなわち、メンブレン１４０は、後部カバー１１０および前部カバー１２０とは分離した構成要素であり得る。そのような実施形態において、メンブレン１４０は、結合すること（例えば、クランプ留めすること、締結すること、接着剤等）により、モバイル電子通信デバイスに対して一定の場所に保持され得る。
【００４６】
種々の実施形態において、メンブレン１４０は、保護ケース１００内に受け取られたモバイル電子通信デバイスの前部表面の上に配置され、モバイル電子通信デバイスの前部上で静置し、メンブレン１４０を通したモバイル電子通信デバイスのユーザ入力インターフェースとのユーザ相互作用を可能にする。特定の実施形態において、メンブレン１４０の後部表面１４０ａ（図４の下向きに方向に面している表面）は、ケース内に入っているモバイル電子通信デバイスの前部表面に接触するように配置される。種々の実施形態に従うと、メンブレン１４０は、任意の適切な透明かつ軽量な材料から作製され得、そのような材料としては、例えば、限定されるものではないが、ガラス、プラスチック、ビニール、および／または同様のものが挙げられる。
【００４７】
モバイル電子通信デバイスは、少なくとも１つのカメラまたはその他のビデオ／画像／データ捕捉デバイスを含み得る。特定の実施形態において、保護ケース１００は、画像または同様のものが保護ケース１００を通して捕捉されることを可能にするように構成されている。特定の実施形態において、後部カバー１１０は、モバイル電子通信デバイスの後部対面カメラおよび／または（例えば、後部対面カメラと連動してフラッシュ写真を提供するための）光源のレンズと整列するように配置された１つ以上の開口部１３９を含む。さらなる実施形態において、１つ以上の開口部１３９は、カメラレンズ、光源、および／または同様のものと整列するように配置された透明部分（例えば、光学的にクリアなレンズ）によってカバーされる。透明部分は、保護ケース１００の一体特徴として形成され得るか、または、別々に形成されて保護ケース１００に組み立てられる分離した部分であり得る。いくつかの実施形態において、保護ケース１００は、選択的に開放するようにレンズの上に配置された可動ドアを含んでいることにより、カメラが保護ケース１００の外側の対象物の画像を捕捉することを可能にする。いくつかの実施形態において、前部カバー１２０は、画像または同様のものが前部対面カメラによって保護ケース１００を通して捕捉されることを可能にするように構成され得る。例えば、前部カバー１１０は、開口を含むかまたはそうでなければモバイル電子通信デバイスの前部対面カメラへの（例えば、透明メンブレン１４０そのものを通した）アクセスを提供する。さらなる実施形態において、前部対面カメラに対する１つ以上の開口部１３９および／または開口は、その開口部および／または開口において密封を提供するために、ガスケット（例えば、Ｏリング）または同様のものによって囲まれ得る。特定の実施形態において、ガスケットは、曲げやすい材料、例えば、限定されるものではないが、液体シリコーンゴム、微孔性ウレタン（例えば、ＰＯＲＯＮ（登録商標））、および／または同様のものから作製される。
【００４８】
モバイル電子通信デバイスは、例えば電力、通信、バッテリー状態、またはその他の機能（例えば、新規ボイスメール、電子メール、テキストメッセージ、またはその他のメッセージ）のための状態光等の情報を表示するために、モバイル電子通信デバイスの１つ以上の適切な部分上に１つ以上の表示灯を有し得る。いくつかの実施形態において、表示灯は、メンブレン１４０または保護ケース１００のその他の部分を通して容易に見ることのできないモバイル電子通信デバイス上の位置に存在し得る。特定の実施形態において、保護ケース１００は、表示灯が保護ケース１００の少なくとも一部分を通して可視となることを可能にするように構成され得る。例えば、保護ケース１００の後部カバー１１０および／または前部カバー１２０は、１つ以上の透明部分、光導体、または、モバイル電子通信デバイスから保護ケース１００の外側に光を伝達する同様のものを含み得る。透明部分は、透明（または半透明）材料から構築され得る。透明部分は、保護ケース１００の一体特徴として形成され得るか、または、別々に形成されて保護ケース１００に組み立てられる分離した部分であり得る。その他の実施形態において、モバイル電子通信デバイスの表示灯は、メンブレン１４０そのものを通して保護ケース１００の外側に対して可視である。種々の実施形態に従うと、透明部分は、任意の適切な透明材料から作製され得、そのような透明材料としては、例えば、限定されるものではないが、ガラス、プラスチック、ビニール、および／または同様のものが挙げられる。
【００４９】
モバイル電子通信デバイスは、１つ以上のオーディオデバイス（例えば、オーディオ信号を受信するためのスピーカ、ヘッドホンジャック、マイク等）をさらに含み得る。特定の実施形態において、保護ケース１００は、保護ケース１００を通してオーディオデバイスのうちの１つ以上に／オーディオデバイスの１つ以上からオーディオ信号を伝達するように構成され得る。例えば、保護ケース１００の後部カバー１１０および／または前部カバー１２０は、オーディオデバイスのうちの１つ以上への１つ以上の開口部１２８を含み得る。さらなる実施形態において、開口部１２８は、スピーカ、マイクジャック、および／または同様のものに対して開口部１２８にアクセスすることを可能にするために選択的に開放するプラグ１２８ａを含む。特定の実施形態において、プラグ１２８ａは、開口部１２８へのアクセスを可能にする任意の適切な態様で、旋回すること、スライドすること、蝶番式で動作すること、または開放することのために構成されている。いくつかの実施形態において、プラグ１２８は、プラグの一部分を囲むように構成された環状ガスケット１２８ｂ（例えば、Ｏリング）を含み得る。ガスケット１２８ｂは、プラグ１２８ａが開口部１２８内に据えられたときに開口部１２８を（例えば、液体から）密封するように構成され得る。いくつかの実施形態において、プラグ１２８ａは、ネジ切りされた開口部１２８に対応するネジ切りされたネジ様の延長部を有しており、その結果、プラグ１２８ａは、ケース内に入っているモバイル電子通信デバイスに対する追加的な密封および保護を提供するために、開口部の中へと回転させられ得る。その他の実施形態において、プラグ１２８ａは、ネジ切りされていないが、開口部１２８を適切に密封するために開口部１２８内に緊密に嵌まるように構成されている。さらなる実施形態において、プラグ１２８ａは、テザー１２８ｃによって保護ケース１００に締結される。テザー１２８ｃは、テザー１２８ｃを保護ケース１００に固定するための任意の適切な材料から作製され得、そのような材料としては、例えば、リジッド材料（例えば、プラスチック、ポリカーボネート等）または非リジッド材料（例えば、ひも、織物、ゴム等）が挙げられる。
【００５０】
その他の実施形態において、保護ケース１００は、オーディオデバイスへの流体、塵、または同様のものの通過を阻止しながらも、フィルムを通してオーディオデバイスのうちの１つ以上に音が通過することまたはオーディオデバイスのうちの１つ以上から音が通過することを可能にするように適合された、フィルム、メンブレン、または、その他の材料を含む。例えば、メンブレン１４０は、モバイル電子通信デバイスのスピーカの上に少なくとも１つの開口１１８を含む。フィルム１４６は、少なくとも１つの開口１１８の上に提供され、音が少なくとも１つの開口１１８およびフィルム１４６を通過することを可能にし得る。いくつかの実施形態において、フィルム１４６は、メンブレン１４０の後部表面１４０ａに（例えば、接着剤、締結具等を介して）取り付けられる。そのような実施形態において、フィルム１４６は、モバイル電子通信デバイスとメンブレン１４０との間に配置される。その他の実施形態において、フィルム１４６は、メンブレン１４０の前部表面１４０ｂに取り付けられる。その他の実施形態において、フィルム１４６は、メンブレン１４０の一体部分である。いくつかの実施形態において、フィルム１４６は、液体、塵、および／または同様のものが、少なくとも１つの開口１１８において保護ケース１００に侵入することを阻止または防止するように構成されている。種々の実施形態に従うと、フィルム１４６は、ケース内に入っているモバイルデバイスの繊細な電子機器を保護するための任意の適切な軽量材料から作製され得、そのような材料としては、例えば、限定されるものではないが、疎水性ポリマーおよび／または同様のものが挙げられる。
【００５１】
モバイル電子通信デバイスは、別のデバイス（例えば、コンピュータ、スピーカ、充電デバイス等）と通信するための、および／または、モバイル電子通信デバイスを充電するための、少なくとも１つのインターフェースを有し得る。インターフェースは、例えば、ケーブル等を通した、例えば（限定されるものではないが）ＵＳＢケーブルおよび／または同様のものを通した、直接的な電気接続であり得る。代替的に、または追加的に、インターフェースは、無線接続、例えば（限定されるものではないが）Ｗｉ−Ｆｉ、Ｂｌｕｅｔｏｏｔｈ（登録商標）、および／または同様のもの等であり得る。特定の実施形態において、保護ケース１００は、インターフェースのうちの１つ以上、例えば直接的な電気接続を可能にするインターフェース等にアクセスすることが可能であるように構成され得る。例えば、保護ケース１００は、モバイル電子通信デバイスが保護ケース１００の空洞１２２内に受け取られたときに、モバイル電子通信デバイスのインターフェースと整列するインターフェース開口部１２９を含み得る。さらなる実施形態において、インターフェース開口部１２９は、モバイル電子通信デバイスのインターフェースに対するインターフェース開口部１２９への選択的なアクセスを可能にするためのドア１２９ａまたは同様のものを含み得る。特定の実施形態において、ドア１２９ａは、開口部１２９へのアクセスを可能にする任意の適切な態様で、旋回すること、スライドすること、蝶番式で動作すること、または開放することのために構成されている。ドアは、開口部１２９を適切に密封するための任意の適切な材料から作製され得、そのような材料としては、例えば、限定されるものではないが、ゴム、プラスチック等が挙げられる。
【００５２】
モバイル電子通信デバイスは、モバイル電子通信デバイスに対するユーザ入力インターフェースの一部として１つ以上の操作部（例えば、ボタン、スイッチ等）を含み得る。操作部は、種々の機能を提供し得、そのような機能としては、例えば、限定されるものではないが、モバイル電子通信デバイスの電力をオン／オフにすること、モバイル電子通信デバイスの容積を変化させること、オーディオ／振動（例えば、モバイル電子通信デバイスの呼び鈴）をトグルすること、またはモバイル電子通信デバイス上のその他の機能（例えば、「ホーム」ボタン）を実行すること等が挙げられる。ボタンのサイズ、品質、レイアウト、および機能は、モバイル電子通信デバイスの製造業者およびモデルに対して変動し得る。
【００５３】
このように、種々の実施形態において、保護ケース１００は、モバイル電子通信デバイスが保護ケース１００内に入っている間に、モバイル電子通信デバイスの１つ以上の操作部の作動を可能にするように構成され得る。例えば、保護ケース１００は、モバイル電子通信デバイスの操作部のうちの１つ以上と相互作用するように配置された１つ以上の部材またはその他の特徴を含み得る。いくつかの実施形態において、保護ケース１００の外側からの機械的運動をモバイル電子通信デバイスの１つ以上の操作部に伝達するために、（空洞１２２内に受け取られた）モバイル電子通信デバイスの１つ以上の操作部と相互作用する位置において、可動部材が保護ケース上に提供され得る。特定の実施形態において、可動部材は、可撓部材または曲げやすい部材であり得るか、または保護ケース１００の一部分であり得る。
【００５４】
一実施形態において、可動部材は、可撓部材１１１を含み得、該可撓部材１１１は、該可撓部材１１１に適用された力をモバイル電子通信デバイスの前部表面上に配置されたモバイル電子通信デバイスのＨｏｍｅボタンに伝達するために、前部カバー１２０に配置され得る。いくつかの実施形態において、可撓部材１１１はまた、可撓部材１１１の真下にあるモバイル電子通信デバイスの感知電子機器が、可撓部材の向こう側の特性を感知することを可能にするように構成されている。例えば、感知電子機器は、ユーザの指紋を走査および認識するためのバイオメトリックスキャナを含み得、可撓部材１１１は、指紋スキャナが可撓部材１１１を通して機能することを実質的に可能にするように構成され得る。特定の実施形態において、可撓部材１１１は、感知電子機器が適切に機能することを可能にするように適切な薄さであり得る。種々の実施形態に従うと、可撓部材１１１は、任意の適切な可撓材料から作製され得、そのような可撓材料としては、例えば、限定されるものではないが、液体シリコーンゴム（ＬＳＲ）、微孔性ウレタン（例えば、ＰＯＲＯＮ（登録商標））、および／または同様のものが挙げられる。
【００５５】
いくつかの実施形態において、可動部材は、可動本体であり得、該可動本体は、例えば、保護ケース１００の外側からの機械的運動をモバイル電子通信デバイスの操作部のうちの１つ以上に伝達するように構成されている、プランジャまたは同様のもの等であり得る。例えば、プランジャ１２７は、プランジャ１２７に適用された力をモバイル電子通信デバイスの電力ボタンまたはスリープ／起動ボタンに伝達するように、前部カバー１２０に提供され得る。別の例として、第１のボタンプランジャ１２３ａ（例えば、モバイル電子通信デバイスの音量増大ボタンに対応）および第２のボタンプランジャ１２３ｂ（例えば、モバイル電子通信デバイスの音量減少ボタンに対応）は、第１のボタンプランジャ１２３ａまたは第２のボタンプランジャ１２３ｂに適用された力を、モバイル電子通信デバイスの音量増大ボタンまたは音量減少ボタンに伝達するために、前部カバー１２０に提供され得る。したがって、種々の実施形態において、保護ケース１００の特徴の移動は、モバイル電子通信デバイスの対応する操作部が移動させられる方向と同じ（または平行な）方向に移動し得る。種々の実施形態に従うと、ボタンプランジャは、任意の適切な可撓材料または曲げやすい材料から作製され得、そのような材料としては、例えば、限定されるものではないが、液体シリコーンゴム（ＬＳＲ）、微孔性ウレタン（例えば、ＰＯＲＯＮ（登録商標））、および／または同様のものが挙げられる。
【００５６】
その他の実施形態において、保護ケース１００は、モバイル電子通信デバイスの操作部のうちの１つ以上に対するアクセスを提供するように構成される。例えば、保護ケース１００は、モバイル電子通信デバイスの操作部のうちの１つ以上に対してユーザがアクセスする（例えば、作動させる）ことを可能にする開口部を含み得る。モバイル電子通信デバイスは、任意の適切なタイプまたは任意の適切な個数の操作部を含み得、かつ／または、保護ケース１００は、このような操作部と相互作用するように配置された任意の適切なタイプまたは任意の適切な個数の部材を含み得る。例えば、保護ケース１００は、モバイル電子通信デバイスの操作部（例えば、音量増大ボタンおよび音量減少ボタン）のうちの（少なくとも）２つを作動させるための旋回部材またはロッキング部材を含み得る。
【００５７】
図６Ａは、種々の実施形態に従う別の保護ケース６００の前部カバーの図である。図６Ｂは、種々の実施形態に従う保護ケース６００の一部分の断面図である。
【００５８】
図１〜６Ｂを参照すると、いくつかの実施形態において、保護ケース６００は、モバイル電子通信デバイスが保護ケース６００内に入っている間にモバイル電子通信デバイスの１つ以上のスイッチの作動を可能にするように構成され得る。例えば、保護ケース６００は、モバイル電子通信デバイスのスイッチのうちの１つ以上と相互作用するように配置された１つ以上の部材またはその他の特徴を含み得る。いくつかの実施形態において、可動部材は、保護ケース６００の外側からの機械的運動をモバイル電子通信デバイスの１つ以上のスイッチに伝達するために、（空洞１２２内に受け取られた）モバイル電子通信デバイスの１つ以上のスイッチと相互作用する位置において、可動部材が保護ケース６００上に提供され得る。特定の実施形態において、可動部材は、保護ケース１００の硬質の横方向に移動可能なスイッチであり得る。例えば、少なくとも１つのスイッチ１２５は、少なくとも１つのスイッチ１２５に適用された力を、モバイル電子通信デバイスの側面上に配置されたモバイル電子通信デバイスのスイッチに伝達するように前部カバー１２０に配置され得る。
【００５９】
いくつかの実施形態において、保護ケース１００は、モバイル電子通信デバイスの対応する操作部に機械的移動を伝達するように構成された少なくとも１つのスイッチ１２５を含み、そのようなスイッチとしては、例えば、限定されるものではないが、オーディオ／振動（ＡＶ）スイッチ１２などが挙げられる。スイッチ１２５は、モバイル電子通信デバイスのＡＶスイッチ１２と対応するように配置され得る。例えば、スイッチ１２５は、ボタン１２３ａおよび１２３ｂが配置されている側と同じ外側本体１２１の側に配置され得、ボタンプランジャ１２３ａおよび１２３ｂに近接し得る。いくつかの実施形態において、スイッチ１２５は、モバイル電子通信デバイスの線形寸法（例えば、高さ寸法）に対する線形移動のために構成され得る。その他の実施形態において、スイッチ１２５は、モバイル通信デバイスのスイッチと相互作用するように軸のまわりで旋回するように構成され得る。例えば、ＡＶスイッチ１２は、第１の状態（例えば、「オン」）を提供する第１の位置Ｐ１までの第１の方向（例えば、モバイル電子通信デバイスの前部表面に向かっての方向）における移動のために構成され得、第２の状態（例えば、「オフ」）を提供する第２の位置Ｐ２までの第１の方向とは反対の第２の方向（例えば、モバイル電子通信デバイスの後部表面に向かっての方向）における移動のために構成され得る。
【００６０】
種々の実施形態において、スイッチ１２５は、（少なくとも）第１の位置Ｐ１と第２の位置Ｐ２との間でＡＶスイッチ１２を作動させるように構成されたアクチュエータ１２５ａを含む。アクチュエータ１２５ａは、保護ケースの外側に突出する可撓材料１２５ｂの層によって包囲され得る。いくつかの実施形態において、可撓材料１２５ｂの層は、アクチュエータ１２５ａを受け取るための窪みを形成する。ユーザは、可撓部材１２５ｂの層と相互作用して、アクチュエータ１２５ａを移動させ得る。スイッチ１２５は、モバイル電子通信デバイスが保護ケース１００内に受け取られている場合に、アクチュエータ１２５ａがモバイル電子通信デバイスのＡＶスイッチ１２と係合することを可能にするように、前部カバー１２０の周囲壁１２０ａを通る開口部に提供され得る。いくつかの実施形態において、スイッチ１２５は、周囲壁１２０ａと共に形成され得る（例えば、スイッチ１２５、または可撓部材１２５ｂの層、および周囲壁１２０ａは、一緒にオーバーモールド成形することによって形成され得る）。さらなる実施形態において、スイッチ１２５は、可撓材料１２５ｂの層がアクチュエータ１２５ａを包囲するように、アクチュエータ１２５ａを受け取るためのアンダーカット１２６を伴って形成され得る。いくつかの実施形態において、アクチュエータ１２５ａは、スイッチ１２５のアンダーカット１２６にスナップ嵌めされるかまたは該アンダーカットの中に圧入する。アクチュエータ１２５ａは、スイッチ１２５の残部とは別々に形成され得、後にスイッチ１２５のアンダーカット１２６に取り付けられ得るか、または、アクチュエータは、一体物としてスイッチ１２５と共に形成され得る。いくつかの実施形態において、アクチュエータ１２５は、射出成型によって形成され得る。さらなる実施形態において、アクチュエータ１２５は、ＡＶスイッチ１２と係合するための任意の適切な材料から形成され得、そのような材料としては、例えば、限定されるものではないが、ナイロン、アクリロニトリルブタジエンスチレン（ＡＢＳ）、および／または同様のもの等が挙げられる。したがって、スイッチ１２５は、寸法（それに沿ってＡＶスイッチが移動する）に対して平行な軸に沿って前部カバー１２０（または、保護ケース１００のその他の適切な部分）に対してスライド可能に移動可能であり得る。その他の実施形態において、スイッチ１２５は、ＡＶスイッチを作動させるために、寸法（それに沿ってＡＶスイッチ（例えば、ロッキングスイッチ）が移動する）に対して直交する軸に沿って旋回または回転し得る。特定の実施形態において、アクチュエータ１２５ａは、周囲壁１２０ａの外側縁部を超えて延びないことがあり得る（例えば、アクチュエータ１２５ａは、外側縁部の前まで、または、外側縁部まで延び得る）。一実施形態において、周囲壁１２０ａは、長方形の周囲内に延びており、ケース内に入っているモバイル電子通信デバイスに対するクッションを提供しており、その一方で（例えば、スイッチ１２５と共に）デバイスのスイッチまたはボタンに対応する開口部を密封してもいる、単一のオーバーモールド成形された層である。その他の実施形態において、周囲壁１２０ａは、壁１２０ａを形成するように一緒に併合された複数の個別の部品を含む（例えば、壁１２０ａの上部は、壁１２０ａの側部とは分離して形成され得る）。
【００６１】
いくつかの実施形態において、アクチュエータ１２５ａは、スイッチ１２５が移動させられたときにＡＶスイッチ１２に選択的に係合する、第１の係合表面２０１および第２の係合表面２０３を含む。ＡＶスイッチ１２と第１の係合表面２０１または第２の係合表面２０３との間の係合の後、スイッチ１２５のさらなる移動は、アクチュエータ１２５ａの係合表面２０１、２０３が、ＡＶスイッチ１２を対応する方向に押すかそうでなければ移動させることを引き起こす。
【００６２】
したがって、特定の実施形態において、アクチュエータ１２５ａは、スイッチ１２５が第２の方向にシフトされたときに、第１の係合表面２０１がＡＶスイッチ１２を第１の状態（例えば、「オン」、Ｐ１）から第２の状態（例えば、「オフ」、Ｐ２）まで第２の方向に移動させるように構成されている。さらに、アクチュエータ１２５ａは、スイッチ１２５が第１の方向にシフトされたときに、第２の係合表面２０３がＡＶスイッチ１２を第２の状態（「Ｐ２」）から第１の状態（「Ｐ１］）まで第１の方向に移動させるように構成されている。
【００６３】
いくつかの実施形態において、スイッチ１２５は、（少なくとも）ＡＶスイッチ１２が第１の位置Ｐ１（この位置において、ＡＶスイッチ１２は、第１の状態（例えば、「オン」）になる）に到達するまで第１の方向に移動可能であるように構成されている。さらなる実施形態において、スイッチ１２５は、（少なくとも）ＡＶスイッチ１２が第２の位置Ｐ２（この位置において、ＡＶスイッチ１２は、第２の状態（例えば、「オフ」）になる）に到達するまで第２の方向に移動可能であるように構成されている。
【００６４】
その他の実施形態において、線形的にシフトさせる代わりに、スイッチ１２５は、保護ケース６００において静的に維持されるように、および、寸法（それに沿ってＡＶスイッチがシフトする）に対して直交する軸を中心として上向きおよび下向きに旋回するように、構成されている。そのような実施形態において、アクチュエータ１２５ａは、スイッチ１２５が下向き方向に旋回または回転させられた（例えば、Ｐ１からＰ２までの方向に回転させられた）ときに、第１の係合表面２０１が、ＡＶスイッチ１２を第１の状態（例えば、「オン」、Ｐ１）から第２の状態（例えば、「オフ」、Ｐ２）まで第２の方向に移動させるように構成されている。さらに、アクチュエータ１２５ａは、スイッチ１２５が上向き方向に旋回または回転させられた（例えば、Ｐ１からＰ２までの方向に回転させられた）ときに、第２の係合表面２０３が、ＡＶスイッチ１２を第２の状態（「Ｐ２」）から第１の状態（「Ｐ１」）まで第１の方向に移動させるように構成されている。
【００６５】
さらなる実施形態において、スイッチ１２５は、回転可能部材１２５の位置、例えば第１の位置Ｐ１および第２の位置Ｐ２に対する回転可能部材１２５の位置を表示するためのインジケータを含む。１つ以上のマーカーまたはインジケータが、第１の位置Ｐ１および／または第２の位置Ｐ２の場所を表示するために前部カバー１２０上に提供され得る。したがって、ユーザは、第１のカバー１２０上のインジケータに基づいてＡＶスイッチ１２の状態を容易に決定することができる。さらなる実施形態において、スイッチ１２５は、第１の方向および／または第２の方向におけるスイッチ１２５の継続した移動を防止するための停止部材を含む。種々の実施形態は、ＡＶスイッチ１２を作動させるためのスイッチに関しているが、その他の実施形態においては、保護ケース１００のその他の特徴のうちの任意の１つ以上が、モバイル電子通信デバイスの対応する操作部を作動させるためのスイッチであり得る。
【００６６】
いくつかの実施形態において、スイッチ１２５は、湾曲部分１２５ｃを含む。湾曲部分１２５ｃは、（保護ケース１００の外側から見たときに）凹形状であり得、モバイル電子通信デバイスのＡＶスイッチ１２またはアクチュエータ１２５ａに向かって内向きに湾曲し得る。湾曲部分１２５ｃは、スイッチ１２５が自由に旋回することを可能にするために適度に薄いかまたは可撓（または両方）であるが、構造的完全性および支持を提供するために十分にリジッドである。湾曲部分１２５ｃは、アクチュエータ１２５ａが手動で操作されないときにアクチュエータ１２５ａを特定の位置または状態（例えば、アクチュエータ１２５ａが移動しないかまたはＡＶスイッチ１２の状態を変化させないニュートラル状態）に維持し、その一方でユーザがアクチュエータ１２５ａを把持して手動で操作するための能力を向上させもする安定性および支持を提供し得、保護ケース１００の中に水分が通過することを阻止するための密封を提供する。種々の実施形態に従うと、可撓部材１２５ｂの層および湾曲部分１２５ｃは、任意の適切な可撓材料、弾力のある材料から作製され得、そのような材料としては、例えば、限定されるものではないが、熱可塑性ポリウレタンおよび／または同様のものが挙げられる。
【００６７】
図７Ａは、種々の実施形態に従う別の保護ケース７００の前部カバーの図である。図７Ｂは、種々の実施形態に従う保護ケース７００の一部分の断面図である。図７Ａおよび７Ｂの実施形態に関して記載されている特徴は、図１〜６Ｂに関して記載されている実施形態を含むがそれらには限定されないその他の実施形態において採用され得る。既に図示され導入されたものと同じ参照番号は、既に図示され既に記載された参照番号の描写および記載に対応し得る。
【００６８】
図７Ａおよび７Ｂを参照すると、いくつかの実施形態において、保護ケース７００は、モバイル電子通信デバイスが保護ケース７００内に入っている間にモバイル電子通信デバイスの１つ以上のスイッチの作動を可能にするように構成された少なくとも１つのスイッチ７２５を含む。例えば、スイッチ７２５は、スイッチ１２５に機能および構造が類似し得る。その他の実施形態において、スイッチ７２５は、任意のその他の適切な構成を有し得る。保護ケース７００は、外側周囲壁１２１ａに類似または対応し得る外側周囲壁７２１ａを有する前部カバー７２０をさらに含み得る。スイッチ７２５は、アクチュエータ１２５ａに類似または対応し得るアクチュエータ７２５ａと、湾曲部分１２５ｃに類似または対応し得る湾曲部分７２５ｃとを含み得る。湾曲部分７２５ｃは、湾曲部分７２５ｃに関して上述したように、スイッチ１２５が自由に旋回することを可能にするために適度に薄いかまたは可撓（または両方）であるが、構造的完全性および支持を提供するために十分にリジッドである。
【００６９】
いくつかの実施形態において、スイッチ７２５が配置されている保護ケース７００の側部は、第１のレベルＸにおいて外側表面を有する外側周囲壁７２１ａを有する。特定の実施形態において、保護ケース７００の前部および後部に向いた外側表面レベルＸからのレベルＹの窪みが、スイッチ７２５に隣接して提供され、保護ケース７００の前部または後部からのスイッチ７２５に対する手動アクセスを向上させる。保護ケースの外側表面Ｘからの窪み内にスイッチ７２５が配置されている状況で、スイッチ７２５は、不意の衝撃または作動に対して保護され得る。いくつかの実施形態において、アクチュエータ７２５ａは、第２のレベルＹを超えない高さまで延び得る。その他の実施形態において、アクチュエータ７２５ａは、別の高さまで（例えば、限定されるものではないが、第１のレベルＸを超えない高さまで、またはより高い高さまで）延び得る。いくつかの実施形態において、可撓材料７２５ｂおよび湾曲部分７２５ｃの層は、オーバーモールド成形によって（例えば、外側周囲本体７２１の内側表面の上に）形成され得る。
【００７０】
図８は、種々の実施形態に従う保護ケース１００の一部分の断面図である。図８に関連して記載されている特徴は、図１〜７Ｂに関して記載された実施形態を含むがこれらに限定されないその他の実施形態において採用され得る。既に図示され導入されたものと同じ参照番号は、既に図示され既に記載された参照番号の描写および記載に対応し得る。
【００７１】
図８、すなわちメンブレン１４０の前部表面１４０ｂにおける開口１１８を示す断面図を参照する。開口１１８は、モバイル通信デバイスが保護ケース１００内に配置されたときに、オーディオデバイスに隣接して（またはそうでなければ、オーディオデバイスとオーディオ通信するように）構成および配置され得、そのようなオーディオデバイスとしては、例えば、限定されるものではないが、ケース内に入っているモバイル通信デバイスのスピーカまたはマイク等が挙げられる。開口１１８は、フィルム１４６でカバーされ得るかまたは積層され得る。上述したように、メンブレン１４０は、モバイルデバイスの表示スクリーンがメンブレン１４０を通して見られることを可能にするように構成された透明メンブレンであり得る。フィルム１４６は、音響ベント膜であり得、例えば接着テープ、成形、糊、熱接合、または同様のものを含むがそれらに限定されない任意の適切な態様でメンブレン１４０に取り付けられ得る。さらに、保護ケース１００は、フィルム１４６に結合され開口１１８を取り囲むガスケット８０２をさらに含み得る。ガスケット８０２は、音響をガスケット８０２によって包囲されている領域に密封し集中させることにより、モバイル通信デバイスのスピーカから放出される音声の音響的品質を向上させ得る。このようにすることにより、ガスケット８０４は、オーディオフィードバックおよび乏しい音声品質を防止することに役立ち得る。その他の実施形態において、ガスケットは、任意のその他の曲げやすい材料から作製され得、そのような材料としては、例えば、限定されるものではないが、発泡体、液体シリコーンゴム（ＬＳＲ）、微孔性ウレタン（例えば、ＰＯＲＯＮ（登録商標））、これらの組み合わせ、および／または同様のもの等が挙げられる。いくつかの実施形態において、ガスケット８０２は、モバイルデバイスが保護ケース１００内のハウジングにあるとき、モバイルデバイスの面に接触するように構成されている。その他の実施形態において、ガスケット８０２は、モバイルデバイスが保護ケース１００内に収納されているときに、モバイルデバイスから離間されるように構成されている。
【００７２】
したがって、保護ケース１００は、メンブレン１４０の開口１１８における積層構造を含み得る。積層構造は、フィルム１４６に取り付けられたメンブレン１４０を含み得、該フィルムは、ガスケット８０２に取り付けられている。換言すると、開口１１８における積層構造は、メンブレン１４０とガスケット８０２との間に介在させられたフィルム１４６を含み、その結果、メンブレン１４０は、ガスケット８０２と直接的に接触しない。その他の実施形態において、フィルム１１８は、メンブレン１４０の真下にある（例えば、メンブレン１４０の後部表面１４０ａにある）のとは対照的に、メンブレン１４０の上に（例えば、メンブレン１４０の前部表面１４０ｂにおいて）配置される。そのような実施形態において、ガスケット８０２は、（例えば、メンブレン１４０の前部表面１４０ｂにおいて）メンブレン１４０の上で、およびその上方で、メンブレン１４０とフィルム１４８との間に介在させられ得る。いくつかの実施形態において、ガスケット８０２は、開口１１８を完全に囲む。その他の実施形態において、ガスケット８０２は、開口１１８の外周を部分的に囲む（例えば、ガスケット８０２の第１のセクションは、上部の曲線に沿って配置され、第２のセクションは、開口１１８の底部の曲線に沿って配置され、ガスケット８０２の２つのセクションは接続されていない）。いくつかの実施形態において、ガスケット８０２は、楕円形状の開口１１８を（完全または部分的に）包囲する。その他の実施形態において、ガスケット８０２は、任意の適切な形状の開口１１８を包囲し、そのような形状としては、例えば、限定されるものではないが、四角形、菱形、または同様のものが挙げられる。
【００７３】
図９Ａは、種々の実施形態に従う保護ケース１００の一部分の斜視図である。図９Ｂは、種々の実施形態に従う保護ケース１００の一部分の断面図である。図９Ｃは、種々の実施形態に従う保護ケース１００の一部分の断面図である。図９Ａ〜９Ｃの実施形態に関して記載されている特徴は、図１〜８に関して記載された実施形態を含むがそれらに限定されないその他の実施形態において採用され得る。既に図示され導入されたものと同じ参照番号は、既に図示され既に記載された参照番号の描写および記載に対応し得る。
【００７４】
図９Ａ、９Ｂ、および９Ｃを参照すると、保護ケース１００は、第１の底部開口９０２および第２の底部開口９０３をさらに含み得る。底部開口９０２および９０３の各々は、音が保護ケース１００に入ることおよび／または保護ケース１００から出ることを可能にするために、ケース内に入っているモバイル通信デバイスのスピーカまたはマイクの位置に対応し得る。
【００７５】
図９Ｂを参照すると、第１の底部開口９０２に焦点を当てた断面図が描写されている。底部開口９０２における保護ケース１００は、フィルム９０４およびガスケット構造９０６を含んでいる。フィルム９０４は、フィルム１４６に対応し得る。ガスケット構造９０６は、第１のガスケット９０６ａおよび第２のガスケット９０６ｂを含んでいる。第１のガスケット９０６ａおよび第２のガスケット９０６ｂは、上述のように、ガスケット８０２に対応し得る。ガスケット構造９０６は、フィルム９０４をフィルム１４６から分離する。いくつかの実施形態において、フィルム９０４は、ガスケット構造９０６の第１のガスケット９０６ａと第２のガスケット９０６ｂとの間に介在させられ得る。ガスケット構造９０６の第２のガスケット９０６ｂは、ケース内に入っているモバイル通信デバイスに近接して配置され、ガスケット構造９０６の第１のガスケット９０６ａは、メンブレン１４０に近接して配置される。したがって、いくつかの実施形態において、フィルム９０４は、第１のガスケット９０６ａおよび第２のガスケット９０６ｂによって形成された２つのリングの間の外周に沿って完全に挟まれる。その他の実施形態において、フィルム９０４の外囲は、２つのリングの間に部分的に介在させられる（例えば、フィルム９０４の外周の部分は、ガスケット構造９０６によってカバーされない）。第２のガスケット９０６ｂから形成された上部のリングは、メンブレン１４０に取り付けられ得、第１のガスケット９０６ａから形成された底部のリングまたはそれらの一部分は、保護ケース１００の内側の構造に取り付けられ得る。
【００７６】
したがって、保護ケース１００は、メンブレン１４０の第１の底部開口９０２において積層構造を含み得る。積層構造は、メンブレン１４０に取り付けられた第２のガスケット９０６ｂと、第２のガスケット９０６ｂに取り付けられたフィルム９０４と、フィルム９０４に取り付けられた第１のガスケット９０６ａとを含み得る。換言すると、開口９０２における積層構造は、第１のガスケット９０６ａと第２のガスケット９０６ｂとの間に介在させられたフィルム９０４を含み、その結果、メンブレン１４０は、フィルム９０４に直接的に接触しないかまたは直接的に取り付けられない。ガスケット構造９０６によるメンブレン１４０からのフィルム９０４の分離は、メンブレン１４０とフィルム９０４との間の振動（オーディオまたはそれ以外）の連絡を阻止し得、これにより、保護ケース１００内の開口９０２を通過する音声のオーディオ品質を向上させ得る。
【００７７】
いくつかの実施形態において、小さなチャンバ９０８が、フィルム９０２の真下に配置される。小さなチャンバ９０８は、保護ケース内の開放空洞であり得、ケース内に入っているモバイルデバイスから発せられる音声が保護ケース１００の外側に伝達される経路、または、保護ケース１００の外側から発せられる音声がケース内に入っているモバイルデバイスの中に伝搬される経路を提供し得る。小さなチャンバ９０８は、モバイルデバイスが保護ケース１００内に収納されたときに、フィルム９０４、保護ケース１００の内側壁、およびモバイルデバイスを含む境界を有していることにより、画定され得る。小さなチャンバ９０８の真下において、保護ケース１００の内部は、モバイルデバイスが収納され得る大きなチャンバ９１０へと開放し得る。したがって、小さなチャンバ９０８および大きなチャンバ９１０の組み合わせは、ケース内に入っているモバイルデバイスにおよび／またはケース内に入っているモバイルデバイスから音声が通信されるかまたは向けられる経路を提供し、向上された音声品質の伝達または向上された音声品質の受信を提供し得る。
【００７８】
図９Ｃを参照すると、第２の底部開口９０３に焦点を当てた断面図が描写されている。いくつかの実施形態において、第２の底部開口９０３における保護ケース１００は、フィルム９１２およびガスケット９１３を含み、これらは、図９Ｂに描写されている積層構造に類似した積層構造を構成する。フィルム９１２は、フィルム９０４に対応し得、ガスケット９１３（底部リング９１３ａおよび上部リング９１３ｂを有する）は、ガスケット構造９０６（第１のガスケット９０６ａおよび第２のガスケット９０６ｂを有する）に対応し得る。いくつかの実施形態において、第１の底部開口９０２は、ケース内に入っているモバイル通信デバイスのマイクの場所に対応し、第２の底部開口９０３は、ケース内に入っているモバイル通信デバイスのスピーカの場所に対応する（または）その逆もいえる）。その他の実施形態において、第１の底部開口９０２および第２の底部開口９０３の各々は、モバイルデバイスが保護ケース１００内に入っているときにモバイルデバイスのマイクに対応し、別の実施形態においては、第１の底部開口９０２および第２の底部開口９０３の各々は、モバイルデバイスのスピーカに対応する。
【００７９】
図１０Ａは、種々の実施形態に従う保護ケース１００の一部分の斜視断面図である。図１０Ｂは、種々の実施形態に従う保護ケース１００の一部分の側方断面図である。図１０Ｃは、モバイル電子通信デバイスを収納している保護ケースの横部分の断面図である。図１０Ａ〜１０Ｃの実施形態に関して記載されている特徴は、図１〜９Ｃに関する実施形態を含むがこれらに限定されないその他の実施形態においても採用され得る。既に図示され導入されたものと同じ参照番号は、既に図示され既に記載された参照番号の描写および記載に対応し得る。
【００８０】
図１０Ａを参照すると、保護ケース１００は、モバイルデバイス１００２を収納し得るかまたはケース内に入れ得る。いくつかの実施形態において、モバイルデバイス１００２は、モバイルデバイス１００２から音声を受信するかまたはモバイルデバイス１００２に音声を伝達するための複数の音声開口１００３を含む。いくつかの実施形態において、音声開口１００３のうちの１つ以上は、音声を受信し、モバイルデバイス１００２に音声を伝達するためのマイクであり得る。その他の実施形態において、音声開口１００３のうちの１つ以上は、モバイルデバイス１００２から外側に音声を伝達するためのスピーカである。いくつかの実施形態において、音声開口１００３は、保護ケース１００の音響チャンバ１００４に向けられ、その結果、音声開口１００３から放出された音声は、（例えば、第２の底部開口９０３を介して）保護ケース１００の外側に流される。
【００８１】
図１０Ｂを参照すると、いくつかの実施形態において、保護ケース１００は、スピーカ開口１００３のうちの１つ以上の前部に直接的に配置された１つ以上のガスケット１００６を含み、その結果、ガスケット１００６は、音声開口１００３をカバーするかまたは密封し（例えば、音響的に密封し）、カバーされた１つ以上の音声開口１００３から放出された音声を消音するか、または、外部音がカバーされた音声開口１００３に入ることをブロックする。ガスケット１００３は、ガスケット８０２に対応し得る。いくつかの実施形態において、ガスケット１００６は、音声開口１００６をカバーする。その他の実施形態において、ガスケット１００６は、複数の音声開口１００６をカバーする。
【００８２】
いくつかの実施形態において、ガスケット１００６は、音声がマイク音声開口１００３に入ることを防止されるように、マイクである１つ以上の音声開口１００３をカバーし、その一方で、その他の音声開口１００３をカバーされないままにする。さらなる実施形態において、カバーされない音声開口１００３は、音声を放出するスピーカである。その他の実施形態において、ガスケット１００６は、音声がスピーカ音声開口１００３から外側に出ることを防止するように、スピーカである１つ以上の音声開口１００３をカバーし、その一方で、その他の音声開口１００３をカバーされないままにする。さらなる実施形態において、これらのカバーされない音声開口１００３は、音声を受信するマイクである。ガスケット１００６が１つ以上のスピーカに隣接する１つ以上のマイクを音響的に密封する実施形態において、音響的に密封されたマイクが隣接する１つ以上のスピーカからノイズまたは干渉をもはや受信しないことにより、モバイルデバイス１００２の音声受信品質は、向上させられ得る。
【００８３】
図１０Ｃ、すなわち電話が保護ケース１００内に収納されているときのモバイルデバイス１００２のエッジおよびガスケット１００６の場所を示す図を参照する。いくつかの実施形態において、ガスケット１００６は、音声を伝達または受信しないように、音声開口１００３のうちの１つをカバーするかまたは音響的に密封し得る。いくつかの実施形態において、ガスケット１００６は、最も左の音声開口１００３をカバーし得る。その他の実施形態において、ガスケット１００６は、モバイルデバイス１００２のオーディオ品質を向上させるために、音声開口１００３のうちの任意の１つ以上をカバーし得る。
【００８４】
いくつかの実施形態において、ガスケット１００６は、モバイルデバイス１００２の音声開口１００３のうちの１つ以上を適切にカバーするためのサイズおよび形状であり、そのような形状としては、例えば、限定されるものではないが、四角形、長方形、菱形、円等が挙げられる。いくつかの実施形態において、ガスケット１００６は、保護ケース１００の内側に取り付けられる。例えば、ガスケット１００６は、保護ケース１００の内側においてオーバーモールディングに取り付けられる。その他の実施形態において、ガスケット１００６は、保護ケース１００の内側壁から分離されているかまたは離間されている。いくつかの実施形態において、ガスケット１００６は、保護ケース１００の音響ベント（例えば、フィルム９０４および／または９１２）から分離（脱着）される。いくつかの実施形態において、ガスケット１００６は、材料の連続ストリップである。その他の実施形態において、ガスケット１００６は、音声開口１００３のうちの１つ以上において材料の複数の個別のストリップを含む。
【００８５】
保護ケース１００、６００、７００の特定の実施形態は、モバイル電子通信デバイスをケース内に入れるためのものであるが、保護ケース１００、６００、７００内に収納される対象物は、多くの異なる対象物のうちの任意のものであり得ることが理解されるべきである。さらに、保護ケース１００、６００、７００は、多くの異なる適切な形状、サイズ、および構成を有し得ることが留意されるべきである。例えば、いくつかの実施形態において、保護ケース１００、６００、７００は、モバイル電子通信デバイスを一緒に囲むように取り外し可能に結合され、それによりモバイル電子通信デバイスを封じ込めるように構成された、２つの分離した部材（例えば、分離した個々の前部カバー１１０および後部カバー１２０）を含み得る。その他の実施形態において、後部カバー１１０および前部カバー１２０は、分離した部材ではないことがあり得、むしろ、例えば共通の蝶番式の動作要素によって接合された部材、または、折り重なることによりハウジングを形成するように構成された単一の部材であり得る。
【００８６】
保護ケース１００、６００、７００の特定の実施形態は、モバイル電子通信デバイスをケース内に入れるためのものであるが、保護ケース１００、６００、７００内に収納される対象物は、多くの異なる対象物のうちの任意のものであり得ることが理解されるべきである。さらに、保護ケース１００、６００、７００は、多くの異なる適切な形状、サイズ、および構成を有し得ることが留意されるべきである。例えば、いくつかの実施形態において、保護ケース１００、６００、７００は、モバイル電子通信デバイスを一緒に囲むように取り外し可能に結合され、それによりモバイル電子通信デバイスを封じ込めるように構成された、２つの分離した部材（例えば、分離した個々の前部カバー１１０および後部カバー１２０）を含み得る。その他の実施形態において、後部カバー１１０および前部カバー１２０は、分離した部材ではないことがあり得、むしろ、例えば共通の蝶番式の動作要素によって接合された部材、または、折り重なることによりハウジングを形成するように構成された単一の部材であり得る。
【００８７】
その他の実施形態において、モバイル電子通信デバイスは、前部カバー１２０の代わりに後部カバー１１０内に受け取られる。特定の実施形態において、メンブレン１４０は、前部カバー１２０に対して直接的に取り付けられる。モバイル電子通信デバイスは、例えば、モバイル電子通信デバイスの後面を後部カバー１１０の底面と共に配置するように、後部カバー１１０によって画定された空洞の中に受け取られ得る。いくつかの実施形態において、メンブレン１４０は、保護ケース１００の平らな前部表面を形成する。すなわち、保護ケース１００の前部表面は、保護ケース１００の最も高い表面である。
【００８８】
本明細書中に開示されている実施形態は、あらゆる観点で本開示の例示として考えられるべきであり、本発明の制限として考えられるべきではない。本発明は、上述された実施形態に決して限定されない。本発明の趣旨および範囲を逸脱することなしに、種々の改変および変更が実施形態に対してなされ得る。本発明の範囲は、添付の請求項およびその均等物に示されており、実施形態に示されてはいない。請求項の意味および均等の範囲内に含まれる種々の改変および変更は、本発明の範囲内にあることが意図されている。
【図１】
2017041885.tif 000003
【図２Ａ】
2017041885.tif 000004
【図２Ｂ】
2017041885.tif 000005
【図２Ｃ】
2017041885.tif 000006
【図２Ｄ】
2017041885.tif 000007
【図３Ａ】
2017041885.tif 000008
【図３Ｂ】
2017041885.tif 000009
【図４】
2017041885.tif 000010
【図５Ａ】
2017041885.tif 000011
【図５Ｂ】
2017041885.tif 000012
【図６Ａ】
2017041885.tif 000013
【図６Ｂ】
2017041885.tif 000014
【図７Ａ】
2017041885.tif 000015
【図７Ｂ】
2017041885.tif 000016
【図８】
2017041885.tif 000017
【図９Ａ】
2017041885.tif 000018
【図９Ｂ】
2017041885.tif 000019
【図９Ｃ】
2017041885.tif 000020
【図１０Ａ】
2017041885.tif 000021
【図１０Ｂ】
2017041885.tif 000022
【図１０Ｃ】
2017041885.tif 000023
【外国語明細書】
2017041885000001.pdf